(57)【要約】【課題】複数サイズのインクドットを用いて印刷を行う際に、エッジ部分の崩れを緩和する。【解決手段】画像内のエッジ部分を検出し、エッジ部分ではエッジ部分以外の非エッジ部分に比べて小ドットの記録率が大きく、大ドットの記録率が小さくなるようにドットデータを生成するエッジ処理を実行する。例えば、エッジ用ドット記録率テーブルと非エッジ用ドット記録率テーブルを選択的に使用することによって、各ドットの記録率を変更することができる。【選択図】  図３
2005041041.tif 000002
【特許請求の範囲】
【請求項１】
インクジェット印刷のための画像処理装置であって、
対象画像内に存在するエッジ部分を検出するエッジ検出部と、
前記対象画像の印刷画素毎に、複数種類のインクのドットの記録状態を示すドットデータを生成するドットデータ生成部と、
を備え、
前記ドットデータは、同一のインクに関して、比較的小さな第１のドットと比較的大きな第２のドットを含む複数のサイズのドットを印刷画素毎に記録するか否かを表すデータであり、
前記ドットデータ生成部は、前記エッジ部分では同一色の非エッジ部分に比べて前記第１のドットの記録率が大きく前記第２のドットの記録率が小さくなるように前記ドットデータを生成するエッジ処理を実行する、画像処理装置。
【請求項２】
請求項１記載の画像処理装置であって、
前記ドットデータ生成部は、前記エッジ処理において、前記複数のサイズのドットのうちで最大サイズ以外のドットの記録率が大きく前記最大サイズのドットの記録率が小さくなるように前記ドットデータを生成する、画像処理装置。
【請求項３】
請求項１または２記載の画像処理装置であって、
前記ドットデータ生成部は、シアンインクとマゼンタインクとイエローインクのそれぞれに関して前記エッジ処理を実行する、画像処理装置。
【請求項４】
請求項１ないし３のいずれかに記載の画像処理装置であって、
前記ドットデータ生成部は、印刷に使用される印刷媒体の単位面積中に吐出可能なインク量の合計であるインクデューティ制限が１００％未満である場合に前記エッジ処理を実行する、画像処理装置。
【請求項５】
請求項１ないし４のいずれかに記載の画像処理装置であって、
前記エッジ部分は、画像の明度が所定量以上離れている隣接画素同士の境界に存在する画素のうちで、明度のより低い側の画素で構成されている、画像処理装置。
【請求項６】
請求項１ないし５のいずれかに記載の画像処理装置であって、
前記ドットデータ生成部は、
各画素のインク量を入力とし前記複数のドットのドット記録率を出力とするドット記録率テーブルとして、エッジ用ドット記録率テーブルおよび非エッジ用ドット記録率テーブルを有するとともに、
前記エッジ用ドット記録率テーブルおよび非エッジ用ドット記録率テーブルを利用して各インクドットのドット記録率を決定するドット記録率決定部を有しており、
前記ドット記録率決定部は、前記エッジ検出部からの検出結果に応じて前記エッジ用ドット記録率テーブルと前記非エッジ用ドット記録率テーブルのうちの一方を選択的に使用する、画像処理装置。
【請求項７】
インクドット印刷のための画像処理方法であって、
（ａ）対象画像内に存在するエッジ部分を検出する工程と、
（ｂ）前記対象画像の印刷画素毎に、複数種類のインクのドットの記録状態を示すドットデータを生成する工程と、
を備え、
前記ドットデータは、同一のインクに関して、比較的小さな第１のドットと比較的大きな第２のドットを含む複数のサイズのドットを印刷画素毎に形成するか否かを表すデータであり、
前記工程（ｂ）は、前記エッジ部分では同一色の非エッジ部分に比べて前記第１のドットの記録率が大きく前記第２のドットの記録率が小さくなるように前記ドットデータを生成するエッジ処理を実行する工程を含む、画像処理方法。
【請求項８】
インクドット印刷のための画像処理を行うためのコンピュータプログラムであって、
対象画像内に存在するエッジ部分を検出するエッジ検出機能と、
前記対象画像の印刷画素毎に、複数種類のインクのドットの記録状態を示すドットデータを生成するドットデータ生成機能と、
をコンピュータに実現させるコンピュータプログラムを備え、
前記ドットデータは、同一のインクに関して、比較的小さな第１のドットと比較的大きな第２のドットを含む複数のサイズのドットを印刷画素毎に形成するか否かを表すデータであり、
前記ドットデータ生成機能は、前記エッジ部分では同一色の非エッジ部分に比べて前記第１のドットの記録率が大きく前記第２のドットの記録率が小さくなるように前記ドットデータを生成するエッジ処理を実行する機能を含む、コンピュータプログラム。
【発明の詳細な説明】
【０００１】
【発明の属する技術分野】
この発明は、インクジェット印刷のためのエッジ処理技術に関する。
【０００２】
【従来の技術】
インクジェット方式の印刷を行う際には、同一のインクに関してサイズの異なる複数のドットを用いる技術（以下、「マルチサイズドット印刷」と呼ぶ）が知られている（例えば特許文献１）。
【０００３】
【特許文献１】特開２０００−６４４５号公報
【特許文献２】特開２０００−１２５１２１号公報
【特許文献３】特開２０００−１７７１７８号公報
【特許文献４】特開２０００−１８４２１５号公報
【０００４】
【発明が解決しようとする課題】
マルチサイズドット印刷は、１サイズのみのドットを用いる場合に比べて画像内のエッジ部分（すなわち輪郭）をきれいに再現できる場合が多いが、マルチサイズドット印刷を行ってもエッジ部分をきれいに再現できない場合がある。図６は、従来技術における画像内のエッジ部分とドット配置の一例を示す説明図である。図６（Ａ）は、画像データで表される画像を示している。ここで、ハッチングが付された四角枠は一定の色（例えばグレー）で塗りつぶされた印刷画素を示しており、ハッチングが付されていない四角枠は白色の印刷画素を示している。図６（Ｂ）は、Ｃ（シアン）、Ｍ（マゼンタ）、Ｙ（イエロー）の３種類のインクの大ドットと小ドットを用いてこの画像を印刷する際のドットの配置例を示している。なお、各ドットの位置やサイズは正確なものではなく、各画素に記録されるインクドットの種類が理解できるような位置とサイズで描かれている。
【０００５】
図６（Ｂ）のドット配置では、図６（Ａ）の元の画像のエッジ部分を構成する画素のうちで、２つの画素ＰＰ１，ＰＰ２にはドットが形成されていない。この画像を肉眼で観察すると、画像内のエッジ部分（輪郭）が変形して見えてしまうことになる。全ドットの生成率（記録率）の合計が１００％に達しないときにはこのようなドット配置になる場合があり、特に、低濃度の画像をハーフトーン処理したときには全ドットの生成率の合計が１００％に達しない場合が多い。また、インクのにじみの問題等でインク吐出量に関して厳しい制限が課せられた場合に、小ドットを広い範囲で大量に使用すると色むらが発生するなどの理由で小ドットの使用量（記録率）が制限されたときには、高い画像濃度でも全ドットの生成率の合計が１００％を下回ることになる。この結果、図６（Ｂ）のように、エッジ部分を構成する画素の一部にドットが全く形成されない場合が生じると、輪郭が崩れてしまうという問題が生じることになる。
【０００６】
本発明は、複数サイズのインクドットを用いて印刷を行う際に、エッジ部分の崩れを緩和できる技術を提供することを目的とする。
【０００７】
【課題を解決するための手段およびその作用・効果】
上記目的の少なくとも一部を達成するために、本発明の画像処理装置は、インクジェット印刷のための画像処理装置であって、
対象画像内に存在するエッジ部分を検出するエッジ検出部と、
前記対象画像の印刷画素毎に、複数種類のインクのドットの記録状態を示すドットデータを生成するドットデータ生成部と、
を備え、
前記ドットデータは、同一のインクに関して、比較的小さな第１のドットと比較的大きな第２のドットを含む複数のサイズのドットを印刷画素毎に記録するか否かを表すデータであり、
前記ドットデータ生成部は、前記エッジ部分では同一色の非エッジ部分に比べて前記第１のドットの記録率が大きく前記第２のドットの記録率が小さくなるように前記ドットデータを生成するエッジ処理を実行する。
【０００８】
この画像処理装置によれば、エッジ部分においては比較的小さな第１のドットの記録率が大きくなるので、エッジ部分により確実にドットが記録される。この結果、エッジ部分にドットが全く記録されないことによるエッジ部分の崩れを緩和できることができる。
【０００９】
なお、前記ドットデータ生成部は、前記エッジ処理において、前記複数のサイズのドットのうちで最大サイズ以外のドットの記録率が大きく前記最大サイズのドットの記録率が小さくなるように前記ドットデータを生成するようにしてもよい。
【００１０】
この構成によれば、最大サイズのドットの記録率が小さくなるので、エッジ部分の崩れをより効果的に緩和できることができる。
【００１１】
また、前記ドットデータ生成部は、シアンインクとマゼンタインクとイエローインクのそれぞれに関して前記エッジ処理を実行するようにしてもよい。
【００１２】
これらの３つの基本１次色インクについてそれぞれエッジ処理を実行するようにすれば、各インクの比較的小さいドットがエッジ部分に記録されるので、より確実にエッジ部分の崩れを緩和できることができる。
【００１３】
前記ドットデータ生成部は、印刷に使用される印刷媒体の単位面積中に吐出可能なインク量の合計であるインクデューティ制限が１００％未満である場合に前記エッジ処理を実行するものとしてもよい。
【００１４】
インクデューティ制限が１００％未満の場合には、大サイズのドットがエッジ部分の画素に記録されると、それに隣接するエッジ部分においてドットが全く記録されない可能性が高い。従って、この場合にエッジ処理を実行すれば、輪郭の崩れを緩和する効果が大きい。
【００１５】
前記エッジ部分は、画像の明度が所定量以上離れている隣接画素同士の境界に存在する画素のうちで、明度のより低い側の画素で構成されていることが好ましい。
【００１６】
なお、前記ドットデータ生成部は、
各画素のインク量を入力とし前記複数のドットのドット記録率を出力とするドット記録率テーブルとして、エッジ用ドット記録率テーブルおよび非エッジ用ドット記録率テーブルを有するとともに、
前記エッジ用ドット記録率テーブルおよび非エッジ用ドット記録率テーブルを利用して各インクドットのドット記録率を決定するドット記録率決定部を有しており、
前記ドット記録率決定部は、前記エッジ検出部からの検出結果に応じて前記エッジ用ドット記録率テーブルと前記非エッジ用ドット記録率テーブルのうちの一方を選択的に使用するものとしてもよい。
【００１７】
この構成によれば、エッジ部分と非エッジ部分においてドット記録率を容易に変更することが可能である。
【００１８】
なお、本発明は、種々の形態で実現することが可能であり、例えば、画像処理方法および画像処理装置、印刷方法および印刷装置、それらの方法または装置の機能を実現するためのコンピュータプログラム、そのコンピュータプログラムを記録した記録媒体等の形態で実現することができる。
【００１９】
【発明の実施の形態】
次に、本発明の実施の形態を実施例に基づいて以下の順序で説明する。
Ａ．装置の構成：
Ｂ．実施例の動作：
Ｃ．変形例
【００２０】
Ａ．装置の構成：
図１は、本発明の一実施例としての画像処理システムの構成を示す説明図である。このシステムは、画像処理装置としてのコンピュータ２００と、画像出力装置としてのプリンタ３００とを含んでいる。
【００２１】
コンピュータ２００には、画像データファイルＭＦに基づいて印刷データを生成するためのプリンタドライバ２１０がインストールされている。プリンタドライバ２１０は、エッジ検出部２１２と、色変換部２１４と、ハーフトーン処理部２１６と、出力処理部２１８とを備えている。エッジ検出部２１２は、対象画像内のエッジ部分を検出する機能を有するモジュールである。色変換部２１４とハーフトーン処理部２１６は、印刷画素毎のドットの記録状態（形成状態）を表すドットデータを生成するドットデータ生成部としての機能を実現するモジュールである。
【００２２】
プリンタドライバ２１０で生成された印刷データＰＤは、出力処理部２１８からプリンタ３００に供給される。印刷データＰＤは、印刷解像度を有する主走査ライン上の各画素についてインクドットの記録状態を表すドットデータと、副走査送り量を特定する副走査送り量データとを含んでいる。
【００２３】
プリンタドライバ２１０の機能を実現するためのプログラムは、コンピュータ読み取り可能な記録媒体に記録された形態で供給し得る。このような記録媒体としては、フレキシブルディスクやＣＤ−ＲＯＭ、光磁気ディスク、ＩＣカード、ＲＯＭカートリッジ、パンチカード、バーコードなどの符号が印刷された印刷物等のコンピュータが読み取り可能な種々の媒体を利用できる。
【００２４】
図２は、色変換部２１４とハーフトーン処理部２１６の内部構成を示すブロック図である。色変換実行部２３０は、色変換ルックアップテーブル２３２を用いて、画像データファイルＭＦのＲＧＢの多階調データをＣＭＹＫの多階調データに変換する。ハーフトーン処理部２１６のドット記録率決定部２４０は、非エッジ用ドット記録率テーブル２４２ａと、エッジ用ドット記録率テーブル２４２ｂとを選択的に使用して、ＣＭＹＫ各色の多階調データから、大ドット用の記録率データと小ドット用の記録率データを生成する。この際、テーブル２４２ａ，２４２ｂの選択は、エッジ検出部２１２による検出結果に応じて行われる。ＣＭＹＫ各色の大ドット記録率データと小ドット記録率データは、ハーフトーン処理実行部２４４でそれぞれハーフトーン処理されて、ドットデータに変換される。
【００２５】
Ｂ．実施例の動作：
図３は、実施例における処理内容を示す説明図である。図３（Ａ）の画像データは、従来例の説明に用いた図６（Ａ）と同じものである。すなわち、ハッチングが付された四角枠は一定の色（例えばグレー）で塗りつぶされた印刷画素を示しており、ハッチングが付されていない四角枠は白色の印刷画素を示している。
【００２６】
図３（Ｂ）は、エッジ検出部２１２によって検出されたエッジ部分を示している。ここで、「エッジ」とは、画像の明度が所定量以上離れている隣接画素同士の境界を意味する。エッジとして検出されるための明度差は、任意に設定可能である。例えば、１種類以上のインクがベタ打ちされる領域と、紙白の領域との境界を「エッジ」として定義することも可能である。エッジ検出は、周知の種々のエッジ検出フィルタを利用して実行することが可能である。図３（Ｂ）に示されているように、画像内のエッジ部分は、エッジ画素で構成されている。ここで、「エッジ画素」とは、画像内のエッジ（輪郭）を構成する画素境界の両側に存在する画素のうちで、明度のより低い側の画素を意味する。図３（Ｂ）の例では、９つのエッジ画素が含まれている。なお、エッジ画素でない画素を、「非エッジ画素」と呼ぶ。
【００２７】
図３（Ｃ）は、ＣＭＹの３種類のインクの大ドットと小ドットを用いてこの画像を印刷する際のドットの配置例を示している。なお、ここではブラックインクを使用しない場合の例を示している。図６（Ｂ）に示した従来例と比較すれば理解できるように、図３（Ｃ）に示す実施例では、エッジ画素において大ドットが形成されておらず、小ドットのみが記録されている。この結果、実施例ではエッジ部分（すなわち画像の輪郭）がきちんと再現されており、図６（Ｂ）のような輪郭の崩れが無いことが理解できる。なお、図３（Ｃ）と図６（Ｂ）では、各インクのインク量はほぼ同じなので、肉眼で観察すれば両者はほぼ同じ色に見える。
【００２８】
図３（Ｄ）は大ドットと小ドットの現実のサイズを示している。これから理解できるように、大ドットは１画素を包含する大きさを有しており、全画素に大ドットを記録すれば印刷媒体表面を塗り潰すことができる大きさに設定されている。また、小ドットのサイズは画素よりも若干小さい程度である。従って、小ドットでエッジ画素を記録すれば、エッジ部分の輪郭をかなりきれい再現することが可能である。
【００２９】
なお、図３（Ｃ）では、エッジ画素よりも内側にインクドットが記録されない画素が存在しているが、これが白抜け（インクドットが全く記録されない部分）として認識される可能性は少ない。その理由は、インクドットが記録されない画素には、その周囲の画素からインクが流れ込むからである。特に、図３（Ｄ）に示すように、大ドットは印刷画素以上の大きさを有しているのが普通である。従って、図３（Ｃ）のように、輪郭よりも内側の画素にインクドットが記録されない画素が存在しているとしても、その外側の画素からのインクによってかなり覆われるので、白抜けが発生する可能性は現実的には無視できる程度である。一方、図６（Ｂ）のように、エッジ部分にインクが吐出されない場合には、その周囲の画素から流れ込むインク量は少ないので、白抜けとなる可能性がかなり高い。従って、エッジ部分をきれいに再現するためには、小ドットの記録率を高めて小ドットを記録することが好ましい。本明細書では、このようにエッジ部分においてドット記録率を調整する処理を「エッジ処理」と呼ぶ。
【００３０】
図４（Ａ）は非エッジ用ドット記録率テーブル２４２ａの内容を示しており、図４（Ｂ）はエッジ用ドット記録率テーブル２４２ｂの内容を示している。これらのグラフの横軸はインク量であり、横軸はドット記録率である。ここで、「インク量」とは、ベタ打ちを１００％とする１画素分のインク吐出量を意味している。また、「ドット記録率」とは、画素にドットが記録される確率を意味する。例えば、ドット記録率１０％で１０画素を記録すると、１０画素に１画素の割合でドットが記録される。インク量が１００％の場合には大ドットの記録率が１００％であり、すべての画素に大ドットが記録される。
【００３１】
図４（Ｂ）のエッジ用ドット記録率テーブル２４２ｂでは、図４（Ａ）の非エッジ用ドット記録率テーブル２４２ａに比べて、小ドットの記録率（破線）が大きく、大ドットの記録率（実線）が小さいことが理解できる（但し、インク量が０％と１００％の場合を除く）。このようなエッジ用ドット記録率テーブル２４２ｂを利用すれば、エッジ部分において大ドットが記録される確率が低くなり、小ドットが記録される確率が高くなる。この結果、図３（Ｃ）に示したように、エッジ部分に小ドットが形成され易くなるので、輪郭をきれいに再現することが可能である。
【００３２】
図５は、本発明の実施例におけるハーフトーン処理の流れを示すフローチャートである。本実施例では、ハーフトーン処理として組織的ディザ法（閾値マトリクス法）を利用している。ステップＳ２１０では、ドット記録率決定部２４０がエッジ用と非エッジ用のいずれかのドット記録率テーブルを選択し、ステップＳ２２０では、選択されたテーブルを用いて大ドット用のレベルデータＬＶＬを設定する。レベルデータとは、ドット記録率を表すデータであり、例えば０〜１００％を０〜２５５の２５６段階で表現した８ビットデータである。
【００３３】
ステップＳ２３０では、大ドット用のレベルデータＬＶＬと大ドット用の閾値ＴＨＬとの大小が比較される。ここでは、たとえば組織的ディザ法によるドットのオン・オフ判定を行う。組織的ディザ法で使用されるディザの閾値ＴＨＬはいわゆるディザマトリックスにより各画素ごとに異なる値が設定されている。閾値マトリクスとしては、例えば１６×１６の正方形の画素ブロックに値０〜２５４までが現れるマトリックスを用いることができる。閾値マトリクスは、エッジ画素に対しても非エッジ画素に対しても同一のものが利用される。大ドット用の閾値マトリクスと小ドット用の閾値マトリクスとしては、異なるものを使用することも可能であり、同じものをすることも可能である。なお、大ドットと小ドットとで同じ閾値マトリクスを使用した方が、ドットの分散性が良い場合がある。
【００３４】
ステップＳ２３０において、レベルデータＬＶＬが閾値ＴＨＬよりも大きい場合には、大ドットを形成すべきと判断される（ステップＳ２６１）。一方、ステップＳ２３０において、レベルデータＬＶＬが閾値ＴＨＬよりも小さい場合には、大ドットを形成すべきではないと判断されるとともに、ステップＳ２４０に処理が進められる。
【００３５】
ステップＳ２４０では、小ドットのレベルデータＬＶＳが設定される。設定方法は、小ドットのレベルデータＬＶＬの設定と同様である。ステップＳ２５０において、小ドット用のレベルデータＬＶＳが小ドット用の閾値ＴＨＳよりも大きい場合には、小ドットを形成すべきと判断される（ステップＳ２６２）。一方、ステップＳ２５０において、レベルデータＬＶＳが閾値ＴＨＳよりも小さい場合には、いかなるドットも形成すべきではないと判断される（ステップＳ２６３）。
【００３６】
以上の処理がすべての画素について行われることにより、全画素についてのドットデータが生成される（ステップＳ２７０）。
【００３７】
以上のように、本実施例によれば、対象画像のエッジ部分（輪郭）を検出し、エッジ部分の画素では同一色の非エッジ部分の画素に比べて小ドットの記録率を大きくするとともに大ドットの記録率を小さくするようにしたので、エッジ部分においてインクドットが全く記録されない可能性を低減することができる。この結果、エッジ部分の画素において、より高い確率でインクドットが記録されるので、エッジ部分の輪郭の崩れを緩和することが可能である。
【００３８】
Ｃ．変形例：
なお、この発明は上記の実施例や実施形態に限られるものではなく、その要旨を逸脱しない範囲において種々の態様において実施することが可能であり、例えば次のような変形も可能である。
【００３９】
Ｃ１．変形例１：
上記実施例では、小ドットと大ドットの２種類のドットを用いるものとしていたが、本発明は、３種類以上のサイズの異なるドットを利用する場合にも適用することができる。一般に、複数のサイズのドットを利用する場合には、エッジ部分におけるエッジ処理において、最大サイズ以外のドットの記録率が非エッジ部分よりも大きく、最大サイズのドットの記録率が非エッジ部分よりも小さくなるようにすることが好ましい。但し、例えば小中大の３種類のドットを用いる場合に、中ドットに関しては、エッジ部分のドット記録率を非エッジ部分と同じに維持してもよい。但し、最大サイズ以外のドットの記録率をエッジ部分で小さくするようにすれば、エッジ部分をきれいに再現する上でより効果が大きいと期待される。
【００４０】
Ｃ２．変形例２：
上記実施例では、ドット記録率テーブルを選択的に使用することによって各サイズのドット記録率を調整していたが、この代わりに、各サイズの閾値マトリクスを変更することによってドット記録率を調整するようにしてもよい。あるいは、誤差拡散法を使用する場合には、各ドット用のオン／オフの閾値を変更することによってドット記録率を調整するようにしてもよい。但し、ドット記録率テーブルを選択的に使用すれば、より確実に現実のドット記録率を変更することが可能である。
【００４１】
Ｃ３．変形例３：
上記実施例では、ＣＭＹの３種類のインクを用いて印刷を行う場合について説明したが、本発明は、任意の種類のインクを用いる場合に適用可能である。この場合に、印刷に使用する各インクについて上述したエッジ処理を行うことが好ましい。但し、一部のインクのみに上述のエッジ処理を行い、他のインクについてはエッジ処理を行わないことも可能である。この場合にも、少なくともシアンインクとマゼンタインクとイエローインクに関してエッジ処理を行えば、エッジ部分にこれらのインクの比較的小さいドットが記録される確率が高くなるので、輪郭の崩れを防ぐことが可能である。
【００４２】
Ｃ４．変形例４：
本発明は、特にインク吐出量の制限が厳しい印刷媒体を用いて印刷する場合に効果が大きい。ここで、インク吐出量の制限とは、単位面積中に吐出可能なインク量の合計を意味しており、「インクデューティ制限」とも呼ばれている。インクデューティ制限の単位は、ベタ打ちに用いられるドット（上記実施例では大ドット）が全画素に記録される場合を１００％としている。例えば、インクデューティ制限が６０％の場合には、すべてのインクのインク量の合計値が６０％以下になるように制限される。図３（Ｄ）に示したように、大ドットは１画素分のサイズよりもかなり大きいので、例えば６０％のドット記録率で大ドットを記録すると、ほぼベタ打ちの画像を印刷することが可能である。
【００４３】
インクデューティ制限が１００％未満である場合には、大ドットが記録された画素に隣接する画素には、ドットが記録されない確率がかなり高い。従って、このような印刷媒体を用いる場合に本発明を適用すれば、輪郭をきれいに再現するという効果がより大きい。
【００４４】
Ｃ５．変形例５：
ハーフトーン処理方法としては、ディザ法に限らず、誤差拡散法などの種々の方法を利用することができる。また、本明細書において「ハーフトーン処理」という用語は、「減色処理」と同一の意味で使用されている。
【図面の簡単な説明】
【図１】本発明の一実施例としての画像処理システムの構成を示す説明図。
【図２】色変換部２１４とハーフトーン処理部２１６の内部構成を示すブロック図。
【図３】実施例における処理内容を示す説明図。
【図４】非エッジ用ドット記録率テーブル２４２ａとエッジ用ドット記録率テーブル２４２ｂの内容を示すグラフ。
【図５】本発明の実施例におけるハーフトーン処理の流れを示すフローチャート。
【図６】従来技術における画像内のエッジ部分とドット配置の一例を示す説明図。
【符号の説明】
２００…コンピュータ
２１０…プリンタドライバ
２１２…エッジ検出部
２１４…色変換部
２１６…ハーフトーン処理部
２１８…出力処理部
２３０…色変換実行部
２３２…色変換ルックアップテーブル
２４０…ドット記録率決定部
２４２ａ…非エッジ用ドット記録率テーブル
２４２ｂ…エッジ用ドット記録率テーブル
２４４…ハーフトーン処理実行部
３００…プリンタ
【図１】
2005041041.tif 000003
【図２】
2005041041.tif 000004
【図３】
2005041041.tif 000005
【図４】
2005041041.tif 000006
【図５】
2005041041.tif 000007
【図６】
2005041041.tif 000008